(57)【要約】【課題】図柄、文字、模様などの任意の形状の文様や標章などを、細  い着色線材を台紙上に接着手段で貼り付けて同台紙上に上記文様や標  章などをパズル形式で構築するために必要な素材を、一まとめにまと  めてセット化した線材セットを提供する。【解決手段】図柄、文字、模様などの任意の形状の文様や標章などを、同文様や標章の外枠部を形成するための着色長尺線材１と、着色長尺線材１で形成された外枠部の内側に配設される複数色の短寸法の着色線材２ａ〜２ｊとを台紙上に接着手段で貼り付けて、同台紙上にパズル形式で構築するための線材セットを、上記着色長尺線材１と、各色別に小袋に収納された複数個の短寸法の着色線材２ａ〜２ｊとで構成して課題解決の手段としている。【選択図】図１
2004322621.tif 000002
【特許請求の範囲】
【請求項１】
図柄、文字、模様などの任意の形状の文様や標章などを、同文様や標章の外枠部形成用の着色長尺線材と、同着色長尺線材で形成された外枠部の内側に配設される短寸法の複数色の着色線材とを台紙上に接着手段で貼り付けて、同台紙上にパズル形式で構築するための線材セットであって、
同線材セットが、上記着色長尺線材と、各色別に小袋に収納された複数個の上記短寸法の着色線材とで構成されたことを特徴とするパズル用線材セット。
【請求項２】
上記線材セットが、台紙と上記接着手段としての透明両面粘着シートとを備えて構成されていることを特徴とする請求項１記載のパズル用線材セット。
【請求項３】
上記小袋が、透明樹脂材により構成されていることを特徴とする請求項１または請求項２のいずれか１項に記載のパズル用線材セット。
【請求項４】
上記着色長尺線材が、異なった色に着色された複数の線材により構成されていることを特徴とする請求項１〜請求項３のいずれか１項に記載のパズル用線材セット。
【請求項５】
上記台紙に、予め下絵が描かれていることを特徴とする請求項１〜請求項４のいずれか１項に記載のパズル用線材セット。
【発明の詳細な説明】
【０００１】
【発明の属する技術分野】
本発明は、図柄、文字、模様などの任意の形状の文様や標章などを、細い着色線材を台紙上に接着手段で貼り付けて同台紙上に上記文様や標章などをパズル形式で構築するために必要な素材を、一まとめにまとめてセット化した線材セットに関し、より詳しくは、上記文様や標章の外枠部の形成用の着色長尺線材と同着色長尺線材で形成された外枠部の内側に配設される複数色の短寸法の着色線材や台紙などセット化した線材セットに関する。
【０００２】
【従来の技術】
台紙や布などのシートの上に、小径の多数のビーズを貼り付けて、同シート上に任意の模様装飾を施すようにしたものとして、特許文献１に示すようなビーズ装飾シートが提案されている。
【０００３】
【特許文献１】
特開平１１−１５７２９５号公報（第３〜４頁、第１図、第４図）
【０００４】
【発明が解決しようとする課題】
特許文献１に記載のビーズ装飾シート０１は、図５、図６に示すように、衣服などに接着可能な接着層０２の上層に設けられた熱硬化性樹脂層０４と、同熱硬化性樹脂層０４の表面に一部を埋設するようにビーズ０５ａを敷きつめて形成したビーズ０５層とからなり、熱硬化性樹脂層０４を熱硬化させることにより、ビーズ０５ａを熱硬化性樹脂層０４に固定するような構成となっている。
【０００５】
このように、上記の従来のものでは、熱硬化性樹脂層０４を熱硬化させるという工程を含むため、ビーズ装飾シートの製作には特別の装置を必要とする。したがって、個人、特に小学生のような幼児、あるいは個人が、工作学習乃至趣味を目的として装飾シートを製作するのには適当でない。
また、小径のビーズは取り扱いが容易でないため、専用のピンセットを必要とするばかりか、ビーズは球形であることから、製作されたビーズ装飾シートは、同ビーズ装飾シートに対する光の角度、あるいは視線が変化しても常に同じ模様を呈するため、立体感に乏しいという課題がある。
【０００６】
本発明は、従来技術のこのような課題を解決しようとするもので、取り扱いが容易でないビ−ズに代えて、台紙上に上記文様や標章などをパズル形式で構築する素材として複数色に着色された細径の線材を用いるようにするとともに、線材と同線材を台紙上に接着するための粘着シートや、（下絵などをプリントした）台紙などの製作に必要な素材を、一まとめにまとめてセット商品とすることにより、小学生や家庭人でも特別な工具や装置を用いることなく、任意な文様や標章を簡単に製作できるようにした線材セットを提供しようとするものである。
【０００７】
【課題を解決するための手段】
本発明は、図柄、文字、模様などの任意の形状の文様や標章などを、同文様や標章の外枠部を形成するための着色長尺線材と、同着色長尺線材で形成された外枠部の内側に配設される複数色の短寸法の着色線材とを台紙上に接着手段で貼り付けて、同台紙上にパズル形式で構築するための線材セットであって、同線材セットを、上記着色長尺線材と、各色別に小袋に収納された複数個の短寸法の着色線材とで構成して課題解決の手段としている。
【０００８】
また、上記線材セットに、台紙と上記接着手段としての透明両面粘着シートとを含ませて課題解決の手段としている。
【０００９】
さらに、上記小袋を透明樹脂材により構成して課題解決の手段としている。
【００１０】
さらにまた、上記長尺線材を、異なった色に着色された複数の線材により構成して課題解決の手段としている。さらに台紙として予め下絵を描いておくことで課題解決の手段としている。
【００１１】
本発明の線材セットでは、文様や標章を製作するのに必要な素材（部品）のすべてでセットが構成されている。したがって、ユーザーはこの線材セットを購入するだけで、簡単に任意の、あるいは台紙にプリントされている下絵通りの標章などを製作することができる。そしてこの場合、接着手段が透明両面粘着シートであるから、この透明両面粘着シートを台紙上に貼り付けた後にも、台紙に描いた下絵や写真などを明確に確認することができる。その結果、下絵を正確になぞりながら外枠部形成用の長尺線材を配設することができ、さらに複数色の短寸法の着色線材を外枠部の内側に配設することができる。このようにして、各線材を台紙上の下絵通りに簡単に貼り付けることが可能となる。
【００１２】
さらに、上記短寸法の着色線材を各色別に収納する小袋が透明樹脂材により構成されているので、小袋の外側から小袋内に収納されている着色線材の色の確認を行うことができ、間違うことなく所望の色の短寸法の着色線材を取り出すことが可能となる。
【００１３】
また、外枠部の内側に配設される短寸法の着色線材の配列方向を、区画毎に変化させると、光の反射方向が変化して、文様や標章に立体感を生じさせることが可能となる。
【００１４】
【発明の実施の形態】
次に、図面とともに本発明の実施形態について説明する。図１はその第１実施形態としてのパズル用線材セットの平面図、図２は同第２実施形態としてのパズル用線材セットの平面図、図３（ａ〜ｅ）は同パズル用線材セットを使用して図柄を構築する工程を示す図、図４は同図柄の１例を示す平面図である。
【００１５】
図１において、符号１は図柄、文字、模様などの任意の形状の文様や標章などの外枠部１１（図３、図４参照）を形成するための長尺線材を、符号２は長尺線材１で形成された文様や標章の外枠部１１の内側に配設される複数色の短寸法の着色線材を示している。なお、短寸法の着色線材２に付された補助符号ａ〜ｊは着色線材２の色を示しており、２ａは白色の着色線材、２ｂは黒色の着色線材、２ｃは黄色の着色線材、２ｄは緑色の着色線材、２ｅは茶色の着色線材、２ｆは紫色の着色線材、２ｇはピンク色の着色線材、２ｈはグレイ色の着色線材、２ｊは濃い緑色の着色線材をそれぞれ示している。そしてこれらの各着色線材２ａ〜２ｊがそれぞれ透明樹脂製の小袋に収納されてセット基板２０（厚紙が好適）にそれらの一部を貼り付けられて取り付けられている。
【００１６】
この実施形態では、上記の各着色線材２ａ〜２ｊおよび長尺線材１は、直径１ｍｍのアルミニュ−ム線にアルマイト加工することにより、所望の色に着色されている。また各着色線材２ａ〜２ｊはほぼ１０ｍｍの長さを有し、長尺線材１はほぼ２００ｍｍの長さに設定されている。
また、長尺線材１としては、複数色に着色された複数本が、それらのほぼ中央部を半円弧状に曲げられて、セット基板２０に簡単に取り外し可能に取り付けられて、パズル用線材セットが構成されている。なおセットには、下絵を（着色）プリントした台紙３（図４参照）が折り畳まれて封入されている。
そしてこのように構成されたパズル用線材セットが、全体を透明樹脂製フィルムで密封されて、商品形状に形成されている。なお線材の上記の色種および長さは１例であって、この例に示した色種および寸法に限定するものではない。
【００１７】
図２の実施形態では、図１に示した９種類の着色線材の内の６種類のものが、それぞれ透明樹脂製の小袋に収納されてセット基板２０（厚紙が好適）にそれらの一部を貼り付けられて取り付けられている。この実施形態では、長尺線材１としては、複数色に着色された直線状の複数本がセット基板２０に、簡単に取り外し可能に取り付けられて、パズル用線材セットが構成されている。そしてこの構成のパズル用線材セットが、全体を透明樹脂製フィルムで密封されて、商品形状に形成されている点は図１の場合と同様である。また、セットには、下絵をプリントした台紙３（図４参照）が折り畳まれて封入されている点も図１の場合と同様である。
【００１８】
次に、上記パズル用線材セットを使用した図柄作成の手順を図３、４により説明する。
初めに下絵１２を用意する〔（第１工程）図３（ａ）〕。図３（ａ）〜（ｅ）はパズル用線材セットに組み込まれた台紙３を使用する例を示しており、この例では、下絵１２としてツバキがプリントされている。この下絵１２の詳細は、図４に示す通りの絵柄となっている。下絵１２としては着色された物が望ましい。
次に、この下絵１２上に透明樹脂製の両面粘着シート１３を貼る〔（第２工程）図３（ｂ）〕。
両面粘着シート１３は、この例では、４区画に分割可能になっており、第３工程として、両面粘着シート１３の内の１区画Ａをはがし、両面粘着シート１３をはがされた区画Ａについて、長尺線材１を、下絵１２の絵柄の外枠部を正確になぞりながら配設して図柄の外枠部１１を形成する。長尺線材１は、外枠部１１のほか、図柄中の強調箇所、例えば葉脈線１４や花芯１５など（図４参照）に配設するようにしてもよい。
【００１９】
第４工程は、第３工程で形成された外枠部１１の内部に、短寸法の着色線材２ａ〜２ｊの中から下絵通りの色の線材を適宜選択して適宜方向に配設して、区画Ａについての作業を完了する。着色線材２の配設方向は同一区画内では平行で、かつ隣接する区画内の着色線材２の配設方向と異なる方向に配設するのが、立体感が得られるので望ましい。また、着色線材２は密接状に配設するのが望ましい。パズル用線材セットの台紙の裏面に、１つの小袋に収納されている着色線材２がどのくらいの面積に対応する量であるのかという目安が記載されている。
【００２０】
両面粘着シート１３は、この例では、４区画に分割可能になっているので、狭い区画内の作業となるため、線材の貼り付け作業が簡単となる。両面粘着シート１３の分割は、４に限定するものではなく、全く分割しなくても、あるいは４区画以外の任意の数に分割してもよいことはいうまでもない。両面粘着シート１３をどのように分割するかということはは、下絵全体の面積や図柄の複雑さなどを考慮して決定されるものである。
【００２１】
区画Ａと同様の作業を、他の全区画に行うことにより、台紙３上に線材により下絵１２と同一の文様や標章などを製作することができる。次に、製作された文様や標章などを台紙３から、文様や標章などの外枠線に沿って切り取り（第４工程〔図４（ｄ）参照〕、切り取った文様や標章などを所望の装飾台紙１６に両面テ−プなどで張りつける（第５工程〔図４（ｅ）参照〕。
【００２２】
このように、本発明のパズル用線材セットを使用するとき、簡単な作業で線材による文様や標章などを製作することが可能となる。上記の実施形態では、下絵１２として、セットに予め組み込まれている台紙３にプリントされたものを利用しているが、製作者が自由に作画したものや、（カラ−）写真を利用しともよい。後者の場合、製作者の創造性を高めることができるので、例えば、小学生等の教材としてこの発明のパズル用線材セットを用いるとき、小学生等の創造性の向上を図ることができる。
【００２３】
【発明の効果】以上説明したように、本発明によれば、次のような効果が得られる。
（１）文様や標章を製作するのに必要な素材（部品）のすべてでセットが構成されているので、ユ−ザ−はこの線材セットを購入するだけで、簡単に任意の、あるいは台紙にプリントされている下絵通りの標章などを製作することができる。
（２）接着手段が透明両面粘着シートであるから、この透明両面粘着シートを台紙上に貼り付けた後にも、台紙に描いた下絵や写真などを明確に確認することができ、その結果、下絵を正確になぞりながら外枠部形成用の長尺線材を配設することができ、さらに複数色の短寸法の着色線材を外枠部の内側に配設することができる。このようにして、各線材を台紙上の下絵通りに簡単に貼り付けることが可能となる。
（３）短寸法の着色線材を各色別に収納する小袋が透明樹脂材により構成されているので、小袋の外側から小袋内に収納されている着色線材の色の確認を行うことができ、間違うことなく所望の色の短寸法の着色線材を取り出すことが可能となる。
（４）下絵として、製作者が自由に作画したものや、写真そのものを利用することができるので、製作者の創造性を高めることができ、例えば、小学生等の教材としてこの発明のパズル用線材セットを使用するとき、小学生等の創造性の向上を図ることができる。
【図面の簡単な説明】
【図１】本発明の第１実施形態としてのパズル用線材セットの平面図  。
【図２】同第２実施形態としてのパズル用線材セットの平面図。
【図３】（ａ）〜（ｊ）本発明に係るパズル用線材セットを使用して図柄を構築する工程を示す図。
【図４】同図柄の１例を示す平面図。
【図５】特許文献１に記載のビーズ装飾シートを示す側面断面図
【図６】特許文献１に記載のビーズ装飾シートを示す平面図
【符号の説明】１：着色長尺線材、２ａ〜２ｊ：短寸法の着色線材（を収納した小袋）、３：台紙、１１：（図柄の）外枠部、１２：下絵、１３：両面粘着シート、１４：（図柄中の強調箇所としての）葉脈線、１５：同花芯、１６：装飾台紙、２０：セット基板。
【図１】
2004322621.tif 000003
【図２】
2004322621.tif 000004
【図３】
2004322621.tif 000005
【図４】
2004322621.tif 000006
【図５】
2004322621.tif 000007
【図６】
2004322621.tif 000008